(57)【要約】【課題】上蓋部が陥没したり全体が型崩れしたりせず、壊れ難い包装箱を提供する。【解決手段】内蓋フラップ２１・２２に外蓋フラップ２４・２５を折り重ねて包装箱Ａを組み立てるとき、相対的に長手な第１蓋止め片３０を短手な第２蓋止め片３５の上に立て掛けると共に、同じく相対的に長手な第３蓋止め片４５を短手な第４蓋止め片４０の上に立て掛けて、外蓋フラップ２４・２５を山形に重ね合わせてから、第１蓋止め片３０を軽く押し込むと、第１蓋止め片３０が細溝の切り込みｎを介して第３蓋止め片４５と噛み合い、この蓋止め片３０・４５の噛み合いで、外蓋フラップ２４・２５が１つの外蓋として一体に掛け止められる。【選択図】          図１
0003138515.tif 000002
【実用新案登録請求の範囲】
【請求項１】
縦向きの折れ目を介して連設した第１乃至第４側壁部と、各側壁部の下端にそれぞれ横向きの折れ目を介して連設した底蓋フラップと、各側壁部の上端にそれぞれ横向きの折れ目を介して連設して上蓋部を形成するフラップであって、該上蓋部を閉じるとき、向かい合わせに折り曲げる一対の内蓋フラップと、それら内蓋フラップに折り重ねる一対の外蓋フラップとを備えたブランクシート材から、直方体状に組み立てる包装箱において、
前記外蓋フラップは、
それぞれ先端縁から、前記縦向きの折れ目に沿って平行な切れ込みを設けて両切れ込み間に係止片を形成し、該係止片の一方を、他方より一段長く凸状に形成して一部が先端縁から突出した第１蓋止め片とし、他方を、先端縁より内方に引っ込んだ一段短い第２蓋止め片とする一方、該第２蓋止め片の左右両側の板部を、前記第１蓋止め片の左右両側の板部より一段長く凸状に形成して第３蓋止め片とし、前記第１蓋止め片の一段短い左右両側の板部を第４蓋止め片としてなり、
前記内蓋フラップ上に折り重ねるとき、前記第１蓋止め片を前記第２蓋止め片の上に立て掛ける一方、前記第３蓋止め片を前記第４蓋止め片の上に立て掛けて山形に重ね合わせた状態で、前記第１蓋止め片が押し込まれると、前記切り込みを介して前記第３蓋止め片と噛み合って一体的に掛け止められてなることを特徴とする、包装箱。
【請求項２】
前記外蓋フラップは、前記第２蓋止め片の両側の切れ込みを、前記ブランクシート材の厚さより大きい溝幅の細溝で形成してなることを特徴とする、請求項１に記載の包装箱。
【請求項３】
前記係止片は、それぞれ前記外蓋フラップの先端縁において、前記横向きの折り目と同じ幅方向中央部に設けてなることを特徴とする、請求項１又は２に記載の包装箱。
【請求項４】
前記内蓋フラップは、
それぞれ先端縁から、前記縦向きの折れ目に沿って平行な切れ込みを設けて両切れ込み間に係止片を形成し、該係止片の一方を、他方より長く凸状に形成して一部が先端縁から突出した第１蓋止め片とする一方、他方を、先端縁より内方に引っ込んだ長さの第２蓋止め片とすると共に、該第２蓋止め片の左右両側の板部を、前記第１蓋止め片の左右両側の板部より長く凸状に形成して第３蓋止め片とし、前記第１蓋止め片の左右両側の板部を第４蓋止め片としてなり、
向かい合わせに折り曲げるとき、前記第１蓋止め片を前記第２蓋止め片の上に立て掛ける一方、前記第３蓋止め片を前記第４蓋止め片の上に立て掛けて山形に重ね合わせた状態で、前記第１蓋止め片が押し込まれると、前記切り込みを介して前記第３蓋止め片と噛み合って掛け止められてなることを特徴とする、請求項１、２又は３に記載の包装箱。
【考案の詳細な説明】
【技術分野】
【０００１】
本考案は、予め所定形状に裁断加工した１枚のブランクシート材から、直方体状に組み立てて、書籍等の各種物品を収納して保管したり輸送したりする包装箱に関する。
【背景技術】
【０００２】
従来、この種の包装箱は、通常、段ボール紙で作製し、縦向きの折れ目を介して連設した４面の側壁部と、各側壁部の下端にそれぞれ横向きの折れ目を介して連設した４枚の底蓋フラップと、各側壁部の上端にそれぞれ横向きの折れ目を介して連設して上蓋部を形成する各一対の内蓋フラップおよび外蓋フラップと、を備えた１枚のブランクシートから、直方体状に組み立てるが、その組み立ての最後に上蓋部を閉じるとき、内蓋フラップを向かい合せに折り曲げてから、その上に外蓋フラップを折り重ねた後に、それら外蓋フラップ間を粘着テープで止めて補強している。
【０００３】
しかし、粘着テープを使用する包装箱では、例えば、これを書庫用に使用し、書籍の収納後に中の書籍を何度も確認することがある場合や、引越など配送用に繰り返し使用する場合には、その都度、粘着テープを貼着・剥離する必要があるが、これでは、粘着テープで箱が傷んで強度が低下し、見栄えも悪化するし、粘着テープを使う分だけ資材コストが嵩むという問題があった。
【０００４】
故に、従来の包装箱の中には、粘着テープを使用しないで済むように、例えば図１２〜図１４に示す如く、前後に向かい合う側壁部１・２の上端にそれぞれ横向きの折り目を介して連設した上蓋部の外蓋フラップのうち、一方の外蓋フラップ３を矩形な底蓋部に合わせて大判矩形に形成し、この外蓋フラップ３の先端縁に凸状の第１蓋止め片３ａを設けると共に、第１蓋止め片３ａの基部に折り目に沿って横長な第１差込み穴４を切り欠いて設ける一方、他方の外蓋フラップ５を横長矩形に形成し、この外蓋フラップ５の基部に、第１蓋止め片３ａに合わせて横に細長い第２差込み穴６を切り欠いて設けると共に、側壁部１の上端には、第２差込み穴６の中央部において、外蓋フラップ５と側壁部１間をコ形に切り起こして矩形舌片状の第２蓋止め片１ａを設けた構造にしたものがある。第２蓋止め片１ａは、第１差込み穴４に差し込み易くするために先端部をく字状に折り曲げている。
【０００５】
そこで、図示包装箱では、書籍など内容物を収納して上蓋部を閉じるときは、一対の内蓋フラップ７を折り曲げて倒してから、図１３に示すように、他方の外蓋フラップ５を先に折り曲げて倒し、それらフラップの上に一方の外蓋フラップ３を折り重ねる。そのとき、第１蓋止め片３ａを第２差込み穴６に差し込んで外蓋フラップ３を止めてから、その外蓋フラップ３側の第１差込み穴４に第２蓋止め片１ａの先端部を差し込み、図１４に示すように外蓋フラップ３を二重に止めている。こうして、上蓋部を閉じるときに粘着テープを使用しないで、包装箱を組み立てるようにしている。
【考案の開示】
【考案が解決しようとする課題】
【０００６】
ところが、従来の図示包装箱では、確かに粘着テープを使用しないで済むが、しかし、外蓋フラップ３を、片側の側壁部１に、蓋止め片１ａ・３ａを差込み穴４・６に差し込むだけで、掛け止め連結する構造であるため、段積みしたりして外蓋フラップ３上に大きな荷重が加わったりすると、全体が片側の蓋止め片１ａ・３ａの掛け止め側へ変形して型崩れしたり、座屈したりして壊れやすく、躯体強度に欠けるという課題があった。
【課題を解決するための手段】
【０００７】
そこで、上記課題を解決すべく、請求項１に記載の考案は、たとえば以下に示す図示実施の形態のとおり、縦向きの折れ目ａを介して連設した第１乃至第４側壁部１１〜１４と、各側壁部１１〜１４の下端にそれぞれ横向きの折れ目ｂを介して連設した底蓋フラップ１７〜２０と、各側壁部１１〜１４の上端にそれぞれ横向きの折れ目ｄを介して連設して上蓋部１５を形成するフラップであって、該上蓋部１５を閉じるとき、向かい合わせに折り曲げる一対の内蓋フラップ２１・２２と、それら内蓋フラップ２１・２２に折り重ねる一対の外蓋フラップ２４・２５とを備えたブランクシート材Ｓから、直方体状に組み立てる包装箱Ａにおいて、前記外蓋フラップ２４・２５は、それぞれ先端縁２４ａ・２５ａから、前記縦向きの折れ目ａに沿って平行な切れ込みｍ・ｎを設けて両切れ込みｍ・ｎ間に係止片３０・３５を形成し、該係止片の一方３０を、他方３５より一段長く凸状に形成して一部が先端縁２４ａから突出した第１蓋止め片とし、他方３５を、先端縁２５ａより内方に引っ込んだ一段短い第２蓋止め片とする一方、該第２蓋止め片３５の左右両側の板部４５を、前記第１蓋止め片３０の左右両側の板部４０より一段長く凸状に形成して第３蓋止め片とし、前記第１蓋止め片３０の一段短い左右両側の板部４０を第４蓋止め片としてなり、前記内蓋フラップ２１・２２上に折り重ねるとき、前記第１蓋止め片３０を前記第２蓋止め片３５の上に立て掛ける一方、前記第３蓋止め片４５を前記第４蓋止め片４０の上に立て掛けて山形に重ね合わせた状態で、前記第１蓋止め片３０が押し込まれると、前記切り込みｎを介して前記第３蓋止め片４５と噛み合って一体的に掛け止められてなることを特徴とする。
【０００８】
請求項２に記載の考案は、請求項１に記載の包装箱Ａにおいて、たとえば以下に示す図示実施の形態のとおり、前記外蓋フラップ２４・２５は、前記第２蓋止め片３５の両側の切れ込みｎを、前記ブランクシート材Ｓの厚さより大きい溝幅の細溝で形成してなることを特徴とする。
【０００９】
請求項３に記載の考案は、請求項１又は２に記載の包装箱Ａにおいて、たとえば以下に示す図示実施の形態のとおり、前記係止片３０・３５は、それぞれ前記外蓋フラップ２４・２５の先端縁２４ａ・２５ａにおいて、前記横向きの折り目ｂ・ｄと同じ幅方向中央部に設けてなることを特徴とする。
【００１０】
請求項４に記載の考案は、請求項１、２又は３に記載の包装箱Ａにおいて、たとえば以下に示す図示実施の形態のとおり、前記内蓋フラップ２１・２２は、それぞれ先端縁２１ａ・２２ａから、前記縦向きの折れ目ａに沿って平行な切れ込みｍ・ｎを設けて両切れ込みｍ・ｍ、ｎ・ｎ間に係止片５０・５５を形成し、該係止片の一方５０を、他方５５より長く凸状に形成して一部が先端縁２１ａから突出した第１蓋止め片とする一方、他方５５を、先端縁２２ａより内方に引っ込んだ長さの第２蓋止め片とすると共に、該第２蓋止め片５５の左右両側の板部６５を、前記第１蓋止め片５０の左右両側の板部６０より長く凸状に形成して第３蓋止め片とし、前記第１蓋止め片５０の左右両側の板部６０を第４蓋止め片としてなり、向かい合わせに折り曲げるとき、前記第１蓋止め片５０を前記第２蓋止め片５５の上に立て掛ける一方、前記第３蓋止め片６５を前記第４蓋止め片６０の上に立て掛けて山形に重ね合わせた状態で、前記第１蓋止め片５０が押し込まれると、前記切り込みｎを介して前記第３蓋止め片６５と噛み合って掛け止められてなることを特徴とする。
【考案の効果】
【００１１】
請求項１に記載の考案によれば、第１および第３蓋止め片の噛み合いで外蓋フラップが一体に掛け止められて、上蓋部での躯体強度が上がるため、外蓋フラップ間を、わざわざ粘着テープで止めて補強しなくても済む。従って、例えば上から押されて上蓋部に大きな荷重が加わっても、その荷重は、第１および第３蓋止め片の噛み合いで一体化した外蓋フラップの外蓋を介し４面の側壁部で受け止めて支えられ、その結果、上蓋部が陥没したり全体が座屈して型崩れを起こしたりすることを防止できる。また、例えば重量物を収納した包装箱を抱えて持ち運ぶような場合でも、外蓋フラップが第１および第３蓋止め片の噛み合いで一体に掛け止められているので、重量物によって横に押されても変形しづらく、従って、折れ目に従って菱形に変形したりして型崩れなどを起こすことを防止することができる。
【００１２】
加えて、請求項１に記載の考案によれば、第１外蓋フラップの第１蓋止め片を、第２外蓋フラップの第２蓋止め片より一段長く凸状に形成する一方、第２外蓋フラップの第３蓋止め片を、第１外蓋フラップの第４蓋止め片より一段長く凸状に形成し、噛み合う互いの蓋止め片長さを違えた構成にすることから、上蓋部を閉じるために外蓋フラップを山形に重ね合わせるとき、噛み合わせの上下が簡単に決まり、従って、手間なく、相対的に長手な第１蓋止め片を短手な第２蓋止め片の上に立て掛け、同じく相対的に長手な第３蓋止め片を短手な第４蓋止め片上に立て掛けられ、後は、第１蓋止め片を軽く押し込むだけで、そのまま第１蓋止め片と第３蓋止め片とが噛み合って外蓋フラップが簡単に且つ確実に掛け止められ、それだけ上蓋部を閉じる作業の効率を高めることができる。
【００１３】
請求項２に記載の考案によれば、外蓋フラップは、第２蓋止め片の両側の切れ込みを、ブランクシート材の厚さより大きい溝幅の細溝で形成し、上蓋部を閉じるとき、第１蓋止め片の両端縁を細溝の切り込みに係合させながら、第３蓋止め片に噛み合わせて外蓋フラップを掛け止めるため、そのとき、第１および第３蓋止め片が引っ掛かることなくスムーズに噛み合い、従って、それだけ蓋止め片が傷み難く、繰り返しの使用に耐えると共に、上蓋部を閉じる作業を更に円滑にすることができる。
【００１４】
請求項３に記載の考案によれば、係止片を、それぞれ外蓋フラップの先端縁において、横向きの折り目と同じ幅方向中央部に設けるため、たとえ上蓋部に大きな荷重が加わるようなことがあっても、その荷重は、一体な外蓋フラップを介して周縁の側壁部でバランスよく受け止めて支えられ、いずれか一側に片寄って変形したりして型崩れを起こすようなリスクをより少なくすることができる。
【００１５】
請求項４に記載の考案によれば、外蓋フラップを、第１および第３蓋止め片の噛み合いで一体に掛け止めるだけでなく、内蓋フラップも、その第１および第３蓋止め片の噛み合いで一体に掛け止めることにより、それだけ上蓋部での躯体強度が高まり、たとえ大きな荷重を受けることがあっても、上蓋部が陥没したり全体が座屈して型崩れなどを起こすことを、より確実に防止することができる。
【考案を実施するための最良の形態】
【００１６】
以下、図面を参照しつつ、本考案の最良の実施形態について説明する。
【００１７】
図１は、本考案の一例である包装箱の特徴を示す組立斜視図、図２は、その包装箱に組み立てるブランクシート材の展開平面図である。
【００１８】
図示包装箱は、全体に符号Ａで示し、それぞれ矩形の、底蓋部１０、第１側壁部１１、第２側壁部１２、第３側壁部１３、第４側壁部１４、上蓋部１５とからなる直方体に組み立てられる箱である。包装箱Ａは、例えば段ボール紙製で、図２に示す形状に予め裁断加工したブラックシート材Ｓから組み立てられる。
【００１９】
ブランクシート材Ｓは、縦向きの折れ目ａを介して第１側壁部１１、第２側壁部１２、第３側壁部１３、第４側壁部１４、糊代片１６が連設されている。各側壁部１１〜１４の下端には、横向きの折れ目ｂを介して、底蓋部１０を形成する４枚の底蓋フラップ１７〜２０が連設されている。底蓋フラップ１８・２０には、それぞれ先端縁の略中央部を台形状に切り欠いて係合凹部１８ａ・２０ａが設けられ、係合凹部１８ａ・２０ａの片側にそれぞれ斜めの折れ目ｃを介して貼付片１８ｂ・２０ｂが設けられている。側壁部１１〜１４の上端には、それぞれ横向きの折れ目ｄを介して、上蓋部１５を形成する内蓋フラップ２１・２２および外蓋フラップ２４・２５が連設されている。特に、側壁部１１・１３の上端にそれぞれ内蓋フラップ２１・２２を設ける一方、側壁部１２・１４の上端に、それぞれ内蓋フラップ２１・２２に折り重ねる第１外蓋フラップ２４および第２外蓋フラップ２５が設けられている。
【００２０】
外蓋フラップ２４・２５には、それぞれ先端縁２４ａ・２５ａにおいて、横向きの折り目ｄと同じ幅方向の中央部に、先端縁２４ａ・２５ａから縦向きの折り目ａに沿って平行な切れ込みｍ・ｎを設け、切れ込みｍ・ｍ、ｎ・ｎ間にそれぞれ係止片３０・３５が形成されている。第１外蓋フラップ２４は、係止片３０の左右両側のフラップ長さｘが、隣接する各フラップ２１・２２・２５の長さｙより一段短くなるように、係止片３０の左右両側の板部４０の先端側を折れ目ｄと平行に裁断し、係止片３０を、一部が凸状に先端縁２４ａから突出した第１蓋止め片とする。
【００２１】
一方、第２外蓋フラップ２５は、係止片３５を有した中央部での長さが、その左右両側のフラップ長さｙより一段短くなるように、係止片３５の先端側を折れ目ｄに沿って裁断し、係止片３５を、左右両側の板部４５の先端縁２５ａより内方に引っ込んだ一段短い第２蓋止め片とする。こうして第１外蓋フラップ２４の第１蓋止め片３０を、第２外蓋フラップ２５の第２蓋止め片３５より一段長く凸状に形成する。更に、第２外蓋フラップ２５は、第２蓋止め片３５の左右両側の板部４５を、それぞれ第１外蓋フラップ２４の左右両側の板部４０より一段長く凸状に形成して第３蓋止め片とし、この第３蓋止め片４５と第２蓋止め片３５との間の切れ込みｎを、ブランクシート材Ｓの厚さより大きい溝幅の細溝で形成してなる。他方、第１外蓋フラップ２４では、係止片３０の一段短い左右両側の板部４０を第４蓋止め片としてなる。
【００２２】
そこで、包装箱Ａは、それ自体を運んだり保管したりするときは、以上のような構造のブランクシート材Ｓを縦向きの折り目ａに沿って折り曲げ、次いで、底蓋フラップ１７〜２０をそれぞれ横向きの折り目ｂに沿って折り込み、底蓋フラップ１８の貼付片１８ｂを斜めの折り目ｃに沿って谷折りし、底蓋フラップ２０の貼付片２０ｂを斜めの折り目ｃに沿って谷折り、底蓋フラップ１９の表面と底蓋フラップ２０の貼付片２０ｂの裏面を貼着し、底蓋フラップ１７の表面と底蓋フラップ１８の貼付片１８ｂの裏面を貼着する一方、糊代片１６を第１側壁部１１の端縁に貼着し、図３に示すように、扁平に折り畳んだ状態に組み立てる。
【００２３】
さて、包装箱Ａは、書籍等の物品を収納して保管したり輸送したりする使用時に、扁平な折り畳み状態から直方体状に組み立てるときは、扁平な側壁部１１〜１４を縦向きの折り目ａに沿って曲げ起こして底蓋部１０を菱形から四角形に変形させながら、図４および図５に示すように、上蓋部１５を開いた角筒状に組み上げる。すると、そのとき、底蓋部１０は、底蓋フラップ１８の係合凹部１８ａと底蓋フラップ２０の係合凹部２０ａとが互いに係合して自動的にボトムロック状態に固定される。
【００２４】
次いで、上蓋部１５の内蓋フラップ２１・２２を、折り曲げて向かい合わせに倒してから、外蓋フラップ２４・２５を曲げ倒して内蓋フラップ２１・２２上に折り重ねて、上蓋部１５を閉じる。そのとき、本考案では、図６に示すように、相対的に長手な第１蓋止め片３０を短手な第２蓋止め片３５の上に立て掛けると共に、同じく相対的に長手な第３蓋止め片４５を短手な第４蓋止め片４０の上に立て掛けて外蓋フラップ２４・２５を山形に重ね合わせる。すると、図７に示すように、例えば指先で第１蓋止め片３０を軽く押し込むだけで、第１蓋止め片３０が細溝の切り込みｎを介して第３蓋止め片４５と噛み合い、この蓋止め片３０・４５の噛み合いによって、図８に示すように、外蓋フラップ２４・２５が１つの外蓋として一体的に掛け止められる。
【００２５】
故に、本考案の包装箱Ａによれば、蓋止め片３０・４５の噛み合いで外蓋フラップ２４・２５が一体に掛け止められて上蓋部１５での躯体強度が上がるため、外蓋フラップ２４・２５間を、わざわざ粘着テープで止めて補強しなくても済む。従って、包装箱Ａでは、例えば上から押されて上蓋部１５に大きな荷重が加わっても、その荷重は、蓋止め片３０・４５の噛み合いで一体化した外蓋フラップ２４・２５の外蓋を介して側壁部１１〜１４で受け止めて支えられ、その結果、上蓋部１５が陥没したり全体が座屈して型崩れなどを起こすことが防止される。また、例えば重量物を収納した包装箱Ａを抱えて持ち運ぶような場合でも、外蓋フラップ２４・２５が蓋止め片３０・４５の噛み合いで一体に掛け止められているので、重量物によって横に押されても変形しづらく、従って、折れ目に従って菱形に変形したりして型崩れを起こすようなことが防止される。しかも、包装箱Ａは、噛み合った蓋止め片３０・４５を、外蓋フラップ２４・２５の先端縁２４ａ・２５ａにおいて、それぞれ幅方向中央部に設けるため、上蓋部１５に大きな荷重が加わるようなことがあっても、その荷重は、一体な外蓋フラップ２４・２５を介して周縁の側壁部１２・１４でバランスよく受け止めて支えられ、いずれか一側に片寄って変形したりして型崩れを起こすようなリスクをより少なくする。
【００２６】
他方、図示包装箱Ａによれば、第１外蓋フラップ２４の第１蓋止め片３０を、第２外蓋フラップ２５の第２蓋止め片３５より一段長く凸状に形成する一方、第２外蓋フラップ２５の第３蓋止め片４５を、第１外蓋フラップ２４の第４蓋止め片４０より一段長く凸状に形成し、噛み合う互いの蓋止め片長さを違えた構成にすることから、上蓋部１５を閉じるために外蓋フラップ２４・２５を山形に重ね合わせるとき、噛み合わせの上下が簡単に決まり、従って、手間なく、長手な第１蓋止め片３０を短手な第２蓋止め片３５の上に立て掛け、長手な第３蓋止め片４５を短手な第４蓋止め片４０の上に立て掛けられ、後は、第１蓋止め片３０を軽く押し込むだけで、そのまま第１蓋止め片３０と第３蓋止め片４５とが噛み合って外蓋フラップ２４・２５が簡単に且つ確実に掛け止められ、それだけ上蓋部１５を閉じる作業の効率を高めることができる。
【００２７】
また、図示包装箱Ａでは、第２外蓋フラップ２５において、第２蓋止め片３５の切れ込みｎを、ブランクシート材Ｓの厚さより大きい溝幅の細溝で形成し、上蓋部１５を閉じるとき、第１蓋止め片３０の両端縁を細溝の切り込みｎに係合させながら第３蓋止め片４５に噛み合わせて外蓋フラップ２４・２５を掛け止めるため、蓋止め片３０・４５が引っ掛かることなくスムーズに噛み合って、それだけ蓋止め片が傷み難く、繰り返しの使用に耐えると共に、上蓋部１５を閉じる作業を更に円滑にすることができる。
【００２８】
ところで、以上の図示包装箱Ａでは、上蓋部１５の外蓋フラップ２４・２５に蓋止め片３０・３５・４０・４５を設け、第１蓋止め片３０を第３蓋止め片４５に噛み合わせて外蓋フラップ２４・２５を一体に掛け止める構成にするが、本考案では、図９〜図１１に示すように、上蓋部１５の内蓋フラップ２１・２２に蓋止め片５０・５５・６０・６５を設け、第１蓋止め片５０を第３蓋止め片６５に噛み合わせて、内蓋フラップ２１・２２も一体に掛け止める構成にすることもできる。
【００２９】
そのため、他の図示包装箱Ａ´は、内蓋フラップ２１・２２において、それぞれ先端縁２１ａ・２２ａの折り目ｄと同じ幅方向中央部に、先端縁２１ａ・２２ａから縦向きの折り目ａに沿って平行な切れ込みｍ・ｎを設け、切れ込みｍ・ｍ、ｎ・ｎ間に係止片５０・５５を形成する。第１内蓋フラップ２１は、係止片５０の左右両側でのフラップ長さが一段短くなるように、係止片５０の左右両側の板部６０の先端側を折れ目ｄと平行に裁断し、係止片５０を、一部が凸状に先端縁２１ａから突出した第１蓋止め片として形成する。
【００３０】
他方、第２内蓋フラップ２２は、係止片５５を有した中央部での長さが、その左右両側板部６５でのフラップ長さより一段短くなるように、係止片５５の先端側を折れ目ｄに沿って裁断し、係止片５５を、左右両側の板部６５の先端縁２２ａより内方に引っ込んだ一段短い第２蓋止め片とする。こうして第１内蓋フラップ２１の第１蓋止め片５０を、第２内蓋フラップ２２の第２蓋止め片５５より一段長く凸状に形成する。更に、第２内蓋フラップ２２は、第２蓋止め片５５の左右両側の板部６５を、それぞれ第１内蓋フラップ２１の左右両側の板部６０より一段長く凸状に形成して第３蓋止め片とし、この第３蓋止め片６５と第２蓋止め片５５との間の切れ込みｎを、ブランクシート材Ｓの厚さより大きい溝幅の細溝で形成する。他方、第１内蓋フラップ２１では、係止片５０の一段短い左右両側の板部６０を第４蓋止め片としてなる。
【００３１】
そこで、上述した他の包装箱Ａ´では、内蓋フラップ２１・２２を折り曲げて向かい合わせに倒して上蓋部１５を閉じるとき、図１０に示すように、長手な第１蓋止め片５０を短手な第２蓋止め片５５の上に立て掛け、長手な第３蓋止め片６５を短手な第４蓋止め片６０の上に立て掛けて、内蓋フラップ２１・２２を山形に重ね合わせる。すると、第１蓋止め片５０を軽く押し込めば、第１蓋止め片５０が細溝の切り込みｎを介して第３蓋止め片６５と噛み合い、この蓋止め片５０・６５の噛み合いで、図１１に示すように、内蓋フラップ２１・２２が１つの内蓋として一体に掛け止められる。よって、包装箱Ａ´では、外蓋フラップ２４・２５を、蓋止め片３０・４５の噛み合いで一体に掛け止めるだけでなく、内蓋フラップ２１・２２も、蓋止め片５０・６５の噛み合いで一体に掛け止めることにより、それだけ上蓋部１５での躯体強度が高まり、たとえ大きな荷重を受けることがあっても、上蓋部１５が陥没したり全体が座屈して型崩れなどを起こすことを、より確実に防止することができる。
【００３２】
以上の包装箱Ａ・Ａ´では、ブランクシート材Ｓが段ボール紙製であったが、各種の板紙等の他、プラスチック段ボール等であってもよいのは、勿論である。
【図面の簡単な説明】
【００３３】
【図１】本考案の一例である包装箱の組立斜視図である。
【図２】図１の包装箱に組み立てるブランクシート材の展開平面図である。
【図３】ブランクシート材から扁平な折り畳み状態に組み立てた包装箱を示す斜視図である。
【図４】包装箱を上蓋部の開放状態で示す斜視図である。
【図５】図４の包装箱を、見る角度を変えて示す斜視図である。
【図６】包装箱を、外蓋フラップを山形に重なり合わせた状態で示す斜視図である。
【図７】包装箱を、指で外蓋フラップの第１蓋止め片を押して第３蓋止め片と噛み合わせる段階を示す斜視図である。
【図８】包装箱を、第１蓋止め片と第３蓋止め片を噛み合わせて組み立て終えた状態を示す斜視図である。
【図９】本考案の他例である包装箱を上蓋部の開放状態で示す斜視図である。
【図１０】他例の包装箱を、内蓋フラップを山形に重なり合わせた状態で示す斜視図である。
【図１１】他例の包装箱を、第１蓋止め片と第３蓋止め片を噛み合わせて内蓋フラップを掛け止めた状態で示す斜視図である。
【図１２】従来の包装箱を、上蓋部の開放状態で示す斜視図である。
【図１３】従来の包装箱を、上蓋部を閉じる直前の状態で示す斜視図である。
【図１４】従来の包装箱を、上蓋部を閉じて組み立て終えた状態を示す斜視図である。
【符号の説明】
【００３４】
Ａ・Ａ´          包装箱
Ｓ                ブランクシート材
ａ〜ｄ            折れ目
ｍ・ｎ            切れ込み
１０              底蓋部
１１〜１４        側壁部
１５              上蓋部
１７〜２０        底蓋フラップ
２１・２２        内蓋フラップ
２４・２５        外蓋フラップ
２４ａ・２５ａ    先端縁
３０・５０        第１蓋止め片
３５・５５        第２蓋止め片
４０・６０        第４蓋止め片
４５・６５        第３蓋止め片
【図１】
0003138515.tif 000003
【図２】
0003138515.tif 000004
【図３】
0003138515.tif 000005
【図４】
0003138515.tif 000006
【図５】
0003138515.tif 000007
【図６】
0003138515.tif 000008
【図７】
0003138515.tif 000009
【図８】
0003138515.tif 000010
【図９】
0003138515.tif 000011
【図１０】
0003138515.tif 000012
【図１１】
0003138515.tif 000013
【図１２】
0003138515.tif 000014
【図１３】
0003138515.tif 000015
【図１４】
0003138515.tif 000016